(57)【要約】      （修正有）【課題】複数の表示モジュールを組み合わせて構成される画面上に映像を表示する映像表示装置において、追加の機構を設けることなく非表示領域を目立たなくする映像表示装置を提供する。【解決手段】各表示装置は、隣り合う複数の画素からなり画素領域に配列された仮想画素７０１を設定する仮想画素設定部と、１つの仮想画素７０１に、表示面における表示モジュールの位置に応じた映像の領域の１画素分を表示する表示制御部と、を備える。仮想画素７０１は、映像の表示に寄与する画素である少なくとも１つの表示画素と、映像の表示に寄与しない画素であり水平方向および垂直方向の少なくともいずれかの方向に配列する複数の非表示画素とを含む。非表示領域の幅は、画素のピッチの整数倍である。【選択図】図８
2020030318.tif 000002
【特許請求の範囲】
【請求項１】
複数の表示装置を備え、各前記表示装置が有する表示モジュールが配列して構成された単一の表示面に映像を表示する映像表示装置であって、
各前記表示モジュールは、複数の画素が配列される画素領域と、前記画素領域を囲み前記画素が配列されない非画素領域とを有し、
各前記表示装置は、
隣り合う複数の前記画素からなり前記画素領域に配列された仮想画素を設定する仮想画素設定部と、
１つの前記仮想画素に、前記表示面における前記表示モジュールの位置に応じた前記映像の領域の１画素分を表示する表示制御部と、を備え、
前記仮想画素は、前記映像の表示に寄与する前記画素である少なくとも１つの表示画素と、前記映像の表示に寄与しない前記画素であり水平方向および垂直方向の少なくともいずれかの方向に配列する複数の非表示画素とを含み、
隣り合う前記表示モジュールの前記画素領域間には、隣り合う前記表示モジュールの設置ギャップと前記非画素領域からなる非表示領域が形成され、
前記非表示領域の幅は、前記画素のピッチの整数倍である、
映像表示装置。
【請求項２】
各前記表示装置は、前記仮想画素における前記表示画素と前記非表示画素の面積比に応じて、前記表示画素の輝度を補正する表示輝度補正部を備える、
請求項１に記載の映像表示装置。
【請求項３】
各前記表示装置は、前記非画素領域の反射輝度に応じて前記非表示画素の輝度を補正する非表示輝度補正部を備える、
請求項１または請求項２に記載の映像表示装置。
【請求項４】
表示モジュールを有する複数の表示装置と、
複数の信号源の映像信号から選択した映像信号を各前記複数の表示装置に出力する映像信号選択装置と、
複数の前記表示装置を映像の拡大表示を行う拡大表示装置に指定する制御装置と、を備え、
前記表示モジュールは、配列して単一の表示面を構成し、
各前記表示モジュールは、
複数の画素が配列される画素領域と、前記画素領域を囲み前記画素が配列されない非画素領域とを有し、
各前記表示装置は、
前記拡大表示装置に指定された場合に、隣り合う複数の前記画素からなり前記画素領域に配列された仮想画素を設定する仮想画素設定部と、
前記画素領域における映像の表示を制御する表示制御部と、を備え、
前記仮想画素は、前記映像の表示に寄与する前記画素である少なくとも１つの表示画素と、前記映像の表示に寄与しない前記画素であり水平方向および垂直方向の少なくともいずれかの方向に延在する複数の非表示画素とを含み、
隣り合う前記表示モジュールの前記画素領域間に形成される、隣り合う前記表示モジュールの設置ギャップと前記非画素領域からなる非表示領域の幅は、前記画素のピッチの整数倍であり、
前記表示制御部は、前記拡大表示装置においては、１つの前記仮想画素に、前記映像の、前記表示面における前記表示モジュールの位置に応じた領域の１画素分を表示し、それ以外の前記表示装置においては、１つの前記画素に、前記映像の１画素分を表示する、
映像表示システム。
【発明の詳細な説明】
【技術分野】
【０００１】
本発明は、液晶ディスプレイまたはデジタルミラーデバイス（ＤＭＤ：Digital Micromirror Device）を用いた背面投射型ディスプレイ等の複数の表示モジュールを組み合わせて１つの大画面を構成する映像表示装置および映像表示システムに関するものである。
【背景技術】
【０００２】
表示モジュールは、画素が配置される画素領域と、画素領域の周辺に形成される画素が配置されない非画素領域とを備えている。従って、複数の表示モジュールを組み合わせて構成される画面上に映像を表示する際、非画素領域は映像が表示されない非表示領域となる。非表示領域により、映像の品位が低下するという問題がある。
【０００３】
特許文献１には、反射面を有する機構部品によって非表示領域を目立たなくする技術が開示されている。
【先行技術文献】
【特許文献】
【０００４】
【特許文献１】特開２０１２−１０８２７０号公報
【発明の概要】
【発明が解決しようとする課題】
【０００５】
特許文献１の技術によっても、非表示領域を完全に見えなくすることは出来ず、視認方向によっては目地が不自然に見えてしまう。また、機構部品を追加で設置する必要があるため、コストと工数が増えるという問題があった。本発明は、上述のような課題を解決するためになされたもので、複数の表示モジュールを組み合わせて構成される画面上に映像を表示する映像表示装置において、追加の機構を設けることなく非表示領域を目立たなくすることを目的とする。
【課題を解決するための手段】
【０００６】
本発明の映像表示装置は、複数の表示装置を備え、各表示装置が有する表示モジュールが配列して構成された単一の表示面に映像を表示する映像表示装置であって、各表示モジュールは、複数の画素が配列される画素領域と、画素領域を囲み画素が配列されない非画素領域とを有し、各表示装置は、隣り合う複数の画素からなり画素領域に配列された仮想画素を設定する仮想画素設定部と、１つの仮想画素に、表示面における表示モジュールの位置に応じた映像の領域の１画素分を表示する表示制御部と、を備え、仮想画素は、映像の表示に寄与する画素である少なくとも１つの表示画素と、映像の表示に寄与しない画素であり水平方向および垂直方向の少なくともいずれかの方向に配列する複数の非表示画素とを含み、隣り合う表示モジュールの画素領域間には、隣り合う表示モジュールの設置ギャップと非画素領域からなる非表示領域が形成され、非表示領域の幅は、画素のピッチの整数倍である。
【発明の効果】
【０００７】
本発明によれば、非表示画素の配列パターンの幅を非表示領域の幅に合わせることができる。従って、非表示画素の配列パターンにより非表示領域をカモフラージュし、非表示領域が目立たないようにすることが可能である。
【図面の簡単な説明】
【０００８】
【図１】実施の形態１の映像表示装置の構成を示す図である。
【図２】実施の形態１の表示装置の回路構成を示すブロック図である。
【図３】実施の形態１の映像表示システムの構成を示す模式図である。
【図４】ＬＣＤパネルの模式図である。
【図５】４つのＬＣＤパネルの突合せ部を拡大した図である。
【図６】実施の形態１の映像表示装置におけるマイクロコントローラの動作を示すフローチャートである。
【図７】入力映像とＬＣＤパネルにおける拡大表示を示す図である。
【図８】水平拡大率および垂直拡大率が４の場合の仮想画素の配列を示す図である。
【図９】仮想画素の拡大図である。
【図１０】マルチ画面の表示映像を示す図である。
【図１１】水平拡大率および垂直拡大率が６の場合の仮想画素の配列を示す図である。
【図１２】仮想画素の拡大図である。
【図１３】マルチ画面の表示映像を示す図である。
【図１４】映像表示装置における各パラメータと輝度効率との関係を示す図である。
【図１５】格子輝度の調節後の格子パターンと非画素領域を示す図である。
【図１６】実施の形態２の映像表示システムの構成を示す模式図である。
【図１７】実施の形態２の映像表示装置の表示例を示す図である。
【図１８】実施の形態２の映像表示装置におけるマイクロコントローラの動作を示すフローチャートである。
【図１９】制御装置の動作を示すフローチャートである。
【図２０】ユーザインタフェースのメニュー画面を示す図である。
【発明を実施するための形態】
【０００９】
＜Ａ．実施の形態１＞
＜Ａ−１．構成＞
図１は、実施の形態１の映像表示装置１０００の構成を示している。映像表示装置１０００は、複数の表示装置１００−１１５からなる表示装置群である。各表示装置１００−１１５は、単一の表示モジュールとして液晶（liquid crystal display、ＬＣＤ）パネルを備えている。本明細書では、ＬＣＤパネルを表示モジュールの例として説明するが、表示装置１００−１１５は他の表示モジュールを備えていても良い。各表示装置１００−１１５は、例えばＲＳ２３２Ｃケーブルの入力端子と出力端子を有し、ＲＳ２３２Ｃケーブルである信号ケーブル１０により、図１に示すようにディジーチェーン接続される。表示装置１００は通信および制御機能におけるマスター機器であり、表示装置１０１−１１５は通信および制御機能におけるスレーブ機器である。図１に示すように、各表示装置１００−１１５には、個別の識別番号（ＩＤ）が付与されている。例えば、表示装置１００のＩＤは１である。なお、図１に示される表示装置の個数は一例である。映像表示装置１０００は、マスター機器として動作する１つの表示装置と、スレーブ機器として動作する少なくとも１つの表示装置から構成されていれば良い。
【００１０】
図２は、表示装置１００の回路構成を示すブロック図である。表示装置１０１−１１５の回路構成は表示装置１００と同等であるため、以下では表示装置１００の回路構成についてのみ説明する。表示装置１００は、入力端子１、出力端子２、スケーラＩＣ３、マイクロコントローラ４、ＬＣＤパネル５、不揮発性メモリ６、および赤外線リモコン受光部７を備えている。
【００１１】
入力端子１は、制御信号の入力端子である。入力端子１に入力された制御信号は、マイクロコントローラ４に出力される。出力端子２は、制御信号の出力端子である。マイクロコントローラ４から出力された制御信号は、出力端子２を介して表示装置１００の外部に出力される。スケーラＩＣ３は、映像信号の入力を受け、当該映像信号を処理し、ＬＣＤパネル５を駆動して映像を表示したり、バックライトの輝度を調節したりする。なお、本明細書において「映像」という語は、動画像と静止画像を含む。マイクロコントローラ４は、スケーラＩＣ３の通信制御端子に接続され、スケーラＩＣ３を制御する。マイクロコントローラ４の入力端子には赤外線リモコン受光部７が接続される。マイクロコントローラ４は、赤外線リモコン受光部７を介して、表示装置１００の外部の赤外線リモコン（図示せず）からのＯＳＤ(Ｏｎ  Ｓｃｒｅｅｎ  Ｄｉｓｐｌａｙ)操作コマンドを受信する。不揮発性メモリ６は、マイクロコントローラ４に接続される。不揮発性メモリ６は、ＯＳＤ操作の結果に従った各パラメータを記憶する。
【００１２】
図３は、実施の形態１の映像表示システムの構成を示す模式図である。実施の形態１の映像表示システムは、信号源Ａ３０１、信号分配器４０１、および映像表示装置１０００を備えている。信号分配器４０１の映像入力端子には、映像信号ケーブル３１１を経由して信号源Ａ３０１が接続されている。信号分配器４０１の映像出力端子には、映像信号ケーブル群３２１を経由して、各表示装置１００−１１５の映像入力端子に接続されている。信号分配器４０１は、信号源Ａからの映像信号を各表示装置１００−１１５に分配する。
【００１３】
図４は、ＬＣＤパネル５の模式図である。ＬＣＤパネル５は、画素が配置される画素領域５Ａと、画素が配置されない非画素領域５Ｂとを備えている。非画素領域５Ｂは矩形の画素領域５Ａを囲んでいる。非画素領域５Ｂは、画素領域５Ａの上辺に接する上辺部と、画素領域５Ａの下辺に接する下辺部と、画素領域５Ａの右辺に接する右辺部と、画素領域５Ａの左辺に接する左辺部とを有している。各表示装置１００−１１５のＬＣＤパネル５は、４×４に配列され単一の表示面（以下、「マルチ画面」とも称する）を構成する。
【００１４】
図５は、４つのＬＣＤパネル５の突合せ部を拡大した図である。画素領域５Ａには画素２０１が配置される。画素２０１は、赤色のサブピクセル２０１ｒ、緑色のサブピクセル２０１ｇおよび青色のサブピクセル２０１ｂを備えている。本明細書では、ＬＣＤパネル５またはマルチ画面における左右の方向および上下の方向を、それぞれ水平方向および垂直方向と称する。画素２０１の水平方向のピッチである水平画素ピッチをｐｘとし、画素２０１の垂直方向のピッチである垂直画素ピッチをｐｙとする。非画素領域５Ｂの上辺部の幅をｂｕｙ、下辺部の幅をｂｄｙ、右辺部の幅をｂｒｘ、左辺部の幅をｂｌｘとする。現在、ｂｒｘ＝ｂｌｘ＝ｂｕｙ＝ｂｄｙ＝０．６ｍｍ、ｐｘ＝ｐｙ＝０．６３ｍｍの液晶パネルが市販されている。ＬＣＤパネル５の水平方向の設置ギャップの幅をｓｘとし、ＬＣＤパネル５の垂直方向の設置ギャップの幅をｓｙとする。
【００１５】
マルチ画面において、２つのＬＣＤパネル５の画素領域５Ａ間には映像が表示されない非表示領域が発生する。非表示領域は、非画素領域５ＢとＬＣＤパネル５の設置ギャップからなる。非表示領域を目地とも称する。水平方向の目地幅Ｇｘは、以下の式（１）で求められる。
【００１６】
【数１】
2020030318.tif 000003
【００１７】
また、垂直方向の目地幅Ｇｙは、以下の式（２）で求められる。
【００１８】
【数２】
2020030318.tif 000004
【００１９】
後述する非表示画素の格子パターンにより非表示領域をカモフラージュすることを考慮すると、目地幅は画素ピッチの整数倍であることが望ましい。すなわち、ＬＣＤパネル５を配列する際、目地幅Ｇｘ，Ｇｙが以下の式（３）、（４）を満たすように、ＬＣＤパネル５の設置ギャップの幅ｓｘ，ｓｙが調整される。なお、ｎｘとｎｙは整数であり、以下の説明ではそれぞれ２とする。
【００２０】
【数３】
2020030318.tif 000005
【００２１】
＜Ａ−２．動作＞
図６は、マイクロコントローラ４の動作を示すフローチャートである。以下、図６のフローに沿ってマイクロコントローラ４の動作を説明する。映像表示装置１０００が起動すると、マイクロコントローラ４は、初期化処理を行う（ステップＳ１１）。本ステップでマイクロコントローラ４は、マイクロコントローラ４内のメモリ、入力端子１、出力端子２およびスケーラ３等の周辺ＩＣの初期設定を行う。
【００２２】
次に、マイクロコントローラ４は表示装置間、または表示装置の外部の制御装置との通信を制御し、通信に関するコマンド処理を行う（ステップＳ１２）。そして、マイクロコントローラ４は、ＯＳＤとリモコン操作に関するコマンド処理を行う（ステップＳ１３）。その後、マイクロコントローラ４は、映像拡大表示処理を行う（ステップＳ１４）。本ステップでマイクロコントローラ４は、スケーラＩＣ３を制御する。スケーラＩＣ３はマイクロコントローラ４の制御に従い、入力映像をＬＣＤパネル５に拡大表示する。次に、マイクロコントローラ４は、格子輝度制御処理を行う（ステップＳ１５）。本ステップでマイクロコントローラ４は、スケーラＩＣ３を制御し、スケーラＩＣ３に格子輝度を調節させる。格子輝度については後述する。さらに、マイクロコントローラ４は、輝度制御処理を行う（ステップＳ１６）。本ステップでマイクロコントローラ４はスケーラＩＣ３を制御する。スケーラＩＣ３はマイクロコントローラ４の制御に従い、ＬＣＤパネル５のバックライトを調整して輝度制御を行う。なお、上記のステップＳ１２−Ｓ１６はメインループを構成し、繰り返し実行される。
【００２３】
図７（ａ）は、信号分配器４０１から映像表示装置１０００の各表示装置１００−１１５への入力映像を示している。この入力映像を元映像と呼ぶ。映像表示装置１０００は、元映像を拡大してマルチ画面に表示する（図６のステップＳ１４）。具体的には、マイクロコントローラ４が、表示装置のＩＤからマルチ画面におけるＬＣＤパネル５の設置位置を把握し、設置位置に相当する元映像の映像領域７０２を特定する。そして、スケーラＩＣ３は、映像領域７０２をＯＳＤまたは通信処理にて設定された拡大率でＬＣＤパネル５に拡大表示する。図７（ｂ）は、ＬＣＤパネル５で拡大表示された映像領域７０２を示している。
【００２４】
スケーラＩＣ３は、拡大表示を行うにあたりＬＣＤパネル５に仮想画素７０１を設定する。仮想画素７０１は、隣接する複数の画素２０１により構成され、元映像の１画素分を表示する。仮想画素７０１を構成する画素２０１の数は、ＬＣＤパネル５の水平拡大率ｍｘおよび垂直拡大率ｍｙによって定まる。水平拡大率ｍｘおよび垂直拡大率ｍｙは、ＬＣＤパネル５における水平方向および垂直方向の映像の拡大率である。水平拡大率ｍｘおよび垂直拡大率ｍｙは、図６のステップＳ１２の通信またはステップＳ１３のＯＳＤの操作を受けてマイクロコントローラ４において定められている。
【００２５】
図８は、水平拡大率ｍｘおよび垂直拡大率ｍｙが４の場合の仮想画素７０１の配列を示している。図９は、図８における１つの仮想画素７０１の拡大図である。図８および図９において、仮想画素７０１は４×４に配列された１６個の画素２０１からなる。仮想画素７０１の画素ピッチは、水平方向および垂直方向の夫々について、画素２０１の画素ピッチｐｘ，ｐｙの４倍である。
【００２６】
仮想画素７０１を構成する画素２０１のうち、映像の表示に寄与する画素２０１を表示画素、映像の表示に寄与しない画素２０１を非表示画素と称する。非表示画素は、画素領域５Ａの全体に亘って水平方向および垂直方向に配列され、マルチ画面の非表示領域をカモフラージュする格子パターン７０３を構成する。格子パターン７０３の幅は、上記の式（３）、（４）におけるｎｘ，ｎｙに等しい数の画素２０１により規定される。図８および図９の例で、格子パターン７０３の幅は２つの画素２０１により規定される。これにより、格子パターン７０３の幅が目地幅と等しくなる。なお、ここでは非表示画素を水平方向および垂直方向に配列して格子パターン７０３を形成することについて説明しているが、非表示画素は水平方向および垂直方向の一方にのみ配列されていても良い。これにより、水平方向または垂直方向のいずれかに形成された非表示領域をカモフラージュする効果が得られる。
【００２７】
図８および図９の例では、仮想画素７０１を構成する画素２０１のうち、右上隅の４個の画素２０１が映像の表示に寄与する表示画素であり、それ以外の１２個の画素２０１が格子パターン７０３を形成する非表示画素である。仮想画素７０１において、表示画素の水平方向および垂直方向の連結数ｑｘ，ｑｙは、それぞれ２である。元映像の１画素分の情報が仮想画素７０１の４つの表示画素に表示される。また、非画素領域５Ｂと格子パターン７０３の間隔は、格子パターン７０３の格子間隔に等しい。従って、格子パターン７０３と非表示領域が一体となって一様な格子パターンを形成し、非表示領域がカモフラージュされる。
【００２８】
図１０は、図８および図９のＬＣＤパネル５によるマルチ画面の表示映像を示している。マルチ画面は、４×４の１６個のＬＣＤパネル５により構成されている。マルチ画面では、ＬＣＤパネル５の非画素領域５Ｂと、隣り合うＬＣＤパネル５間の設置ギャップにより、映像が表示されない非表示領域が存在する。しかし、格子パターン７０３と非表示領域が一体となって一様な格子パターンを形成するため、非表示領域は目立たない。ＬＣＤパネル５の画素数を１９２０×１０８０とすると、単位面の、すなわち１つのＬＣＤパネル５の仮想水平画素数ｄｏｔ＿ｈは４８０、単位面の仮想垂直画素数ｄｏｔ＿ｖは２７０である。単位面の仮想水平画素数ｄｏｔ＿ｈは、１つのＬＣＤパネル５の水平方向の仮想画素７０１の数であり、単位面の仮想垂直画素数ｄｏｔ＿ｖは、１つのＬＣＤパネル５の垂直方向の仮想画素７０１の数である。格子パターン７０３は映像の表示に寄与しないため、マルチ画面の発光面積は元の２５％である。従って、マルチ画面の発光輝度効率は、格子パターン７０３が存在しない場合の２５％となる。
【００２９】
図１１は、水平拡大率ｍｘおよび垂直拡大率ｍｙが６の場合の仮想画素７０１の配列を示している。図１２は、図１１における１つの仮想画素７０１の拡大図である。図１１および図１２において、仮想画素７０１は６×６に配列された３６個の画素２０１からなる。仮想画素７０１の画素ピッチは、水平方向および垂直方向の夫々について、画素２０１の画素ピッチｐｘ，ｐｙの６倍である。
【００３０】
図１１および図１２の仮想画素７０１において、右上隅の４×４の１６個の画素２０１が映像の表示に寄与する表示画素であり、その他の２０個の画素２０１が格子パターン７０３を構成する非表示画素である。格子パターン７０３の幅は、２つの画素２０１により規定される。仮想画素７０１において、表示画素の水平方向の連結数ｑｘと垂直方向の連結数ｑｙは、それぞれ４である。元映像の１画素分の情報が仮想画素７０１の１６個の表示画素に表示される。また、非画素領域５Ｂと格子パターン７０３の間隔は、格子パターン７０３の格子間隔に等しい。従って、格子パターン７０３と非表示領域が一体となって一様な格子パターンを形成し、非表示領域がカモフラージュされる。
【００３１】
図１３は、図１１および図１２のＬＣＤパネル５によるマルチ画面の表示映像を示している。マルチ画面は６×６の３６個のＬＣＤパネル５により構成されている。図１３でも図１０と同様、格子パターン７０３と非表示領域が一体となって一様な格子パターンを形成するため、非表示領域は目立たない。ＬＣＤパネル５の画素数を１９２０×１０８０とすると、単位面の仮想水平画素数ｄｏｔ＿ｈは３２０、単位面の仮想垂直画素数ｄｏｔ＿ｖは１８０である。格子パターン７０３が映像の表示に寄与しないため、マルチ画面の発光面積は元の４４．４％である。従って、マルチ画面の発光輝度効率は、格子パターン７０３が存在しない場合の４４．４％となる。
【００３２】
図１４は、映像表示装置１０００における、各パラメータと輝度効率との関係を示している。ＬＣＤパネル５の画素数は１９２０×１０８０とする。映像表示装置１０００のパラメータは、水平拡大率ｍｘ、垂直拡大率ｍｙ、表示画素の水平方向の連結数ｑｘ、表示画素の垂直方向の連結数ｑｙ、水平画素ピッチｐｘ［ｍｍ］、垂直画素ピッチｐｙ［ｍｍ］、非画素領域５Ｂの右辺部の幅ｂｒｘ［ｍｍ］、非画素領域５Ｂの左辺部の幅ｂｌｘ［ｍｍ］、ｎｘ、ＬＣＤパネル５の水平方向の設置ギャップの幅ｓｘ［ｍｍ］、非画素領域５Ｂの上辺部の幅ｂｕｙ［ｍｍ］、非画素領域５Ｂの下辺部の幅ｂｄｙ［ｍｍ］、垂直格子幅ｎｙ、ＬＣＤパネル５の垂直方向の設置ギャップ幅ｓｙ［ｍｍ］、単位面の仮想水平画素数ｄｏｔ＿ｈ、および単位面の仮想垂直画素数ｄｏｔ＿ｖを含む。図１４に示す輝度調節値α［ＰＷＭ，％］は、バックライトのＰＷＭ制御のＤｕｔｙ（０−１００％）であり、図６のステップＳ１６において、図１４に記載の値に設定される。すなわち、スケーラＩＣ３は水平拡大率ｍｘおよび垂直拡大率ｍｙに応じて表示画素の輝度を補正する表示輝度補正部として機能する。図１４に示す相対輝度は、水平拡大率ｍｘおよび垂直拡大率ｍｙがそれぞれ３の場合の輝度値を１００とした相対輝度値である。輝度調節値αを図１４に記載の値とすることにより、水平拡大率ｍｘおよび垂直拡大率ｍｙを変化させたそれぞれの場合において常に一定の輝度値が得られる。
【００３３】
図６のステップＳ１５では、スケーラＩＣ３が格子輝度を調節する。格子輝度は格子パターン７０３の発光輝度、すなわち非表示画素の発光輝度である。スケーラＩＣ３は、格子輝度を非画素領域５Ｂの反射輝度に近づけるように制御する。このように、スケーラＩＣ３は、非表示画素の輝度を補正する非表示輝度補正部として機能する。格子輝度の値は、設置環境の照明または外光による非画素領域の反射光を考慮し、図６のステップＳ１３においてユーザが目視調整等で設定する。格子輝度の調節前は、格子輝度と非画素領域５Ｂの反射輝度が異なるため、図８に示すように格子パターン７０３と非画素領域５Ｂの見え方が異なる。しかし、格子輝度の調節後は、図１５に示すように、格子パターン７０３と非画素領域５Ｂの差異が目立たなくなる。
【００３４】
＜Ａ−３．効果＞
実施の形態１の映像表示装置１０００は、複数の表示装置１００−１１５を備え、各表示装置１００−１１５が有する表示モジュールが配列して構成された単一の表示面に映像を表示する。各表示モジュールは、複数の画素２０１が配列される画素領域５Ａと、画素領域５Ａを囲み画素２０１が配列されない非画素領域５Ｂとを有する。各表示装置１００−１１５は、仮想画素設定部および表示制御部として機能するマイクロコントローラ４を備える。仮想画素設定部は、隣り合う複数の画素２０１からなり画素領域５Ａに配列された仮想画素７０１を設定する。表示制御部は、１つの仮想画素７０１に、表示面における表示モジュールの位置に応じた映像の領域の１画素分を表示する。これにより、映像が拡大表示される。
【００３５】
仮想画素７０１は、映像の表示に寄与する画素２０１である少なくとも１つの表示画素と、映像の表示に寄与しない画素２０１であり水平方向および垂直方向の少なくともいずれかの方向に配列する複数の非表示画素とを含む。隣り合う表示モジュールの画素領域５Ａ間には、隣り合う表示モジュールの設置ギャップと非画素領域５Ｂからなる非表示領域が形成される。非表示領域の幅Ｇｘ，Ｇｙは、画素２０１のピッチｐｘ、ｐｙの整数倍である。これにより、非画素領域５Ｂによるパターンの幅が非表示領域の幅と同一になるため、映像の解像度を落とすことなく非表示領域を目立たなくすることができる。
【００３６】
また、マイクロコントローラ４は、表示輝度補正部として機能する。表示輝度補正部は、仮想画素７０１における表示画素と非表示画素の面積比に応じて、表示画素の輝度を補正する。従って、映像の拡大率の変化に伴うマルチ画面の表示輝度の変化が低減される。
【００３７】
また、マイクロコントローラ４は、非表示輝度補正部として機能する。非表示輝度補正部は、非画素領域５Ｂの反射輝度に応じて非表示画素の輝度を補正する。従って、非表示画素によるパターンと非画素領域５Ｂの見え方が同じになり、非画素領域５Ｂが目立たなくなる。
【００３８】
＜Ｂ．実施の形態２＞
実施の形態１において、映像表示装置１０００には１つの信号源からの映像信号が入力され、マルチ画面の全領域で映像の拡大表示が行われた。これに対して実施の形態２では、映像表示装置１０００には複数の信号源からの映像信号が入力される。マルチ画面はＬＣＤパネル５ごとに、主画面エリアと副画面エリアに区分される。主画面エリアを構成するＬＣＤパネル５は、実施の形態１と同様に映像を拡大表示する。一方、副画面エリアを構成するＬＣＤパネル５は、入力された映像を拡大せずに表示する。これにより、主画面エリアを構成するＬＣＤパネル５と、副画面エリアを構成するＬＣＤパネル５との間で、さらには副画面エリアを構成するＬＣＤパネル間で、異なる信号源からの映像を表示することが可能である。
【００３９】
＜Ｂ−１．構成＞
図１６は、実施の形態２の映像表示システムの構成を示す模式図である。実施の形態２の映像表示システムは、８つの信号源Ａ３０１−Ｈ３０８、マトリクススイッチャ５０１、制御装置５０２、および映像表示装置１０００を備えている。マトリクススイッチャ５０１の複数の映像入力端子は、映像信号ケーブル３１１−３１８を経由して信号源Ａ３０１−Ｈ３０８と接続されている。マトリクススイッチャ５０１は、複数の信号源Ａ３０１−Ｈ３０８の映像信号から、映像信号を選択し、各表示装置１００−１１５に出力する映像信号選択装置として動作する。マトリクススイッチャ５０１の映像出力端子は、映像表示装置１０００を構成する各表示装置１００−１１５の映像入力端子に、映像信号ケーブル群３２１を経由して接続される。
【００４０】
制御装置５０２は、通信制御出力端子Ａ，Ｂを備えている。通信制御出力端子Ａは、ケーブル３３１を経由してマトリクススイッチャ５０１の通信制御入力端子へ接続される。通信制御出力端子Ｂは、ケーブル３３２を経由して映像表示装置１０００を構成する各表示装置１００−１１５の入力端子１に接続される。
【００４１】
＜Ｂ−２．動作＞
図１７は、実施の形態２の映像表示装置１０００の表示例を示している。映像表示装置１０００のマルチ画面は、表示装置１００−１１５のＬＣＤパネル５が４×４で配列されて構成される。
【００４２】
信号源Ａ３０１の映像信号が、マトリクススイッチャ５０１を経由して表示装置（ＩＤ＝６−８，１０−１２，１４−１６）に供給される。他の信号源Ｂ３０２−Ｈ３０８の映像信号は、マトリクススイッチャ５０１を経由して、表示装置（ＩＤ＝１−５，９，１３）へそれぞれ供給される。
【００４３】
制御装置５０２は、通信制御手段により各表示装置に対して拡大表示を行うか行わないかを指示する。ここで、制御装置５０２は、ＩＤ＝６−８，１０−１２，１４−１６の表示装置に対して水平拡大率ｍｘおよび垂直拡大率ｍｙが３の拡大表示を設定し、ＩＤ＝１−５，９，１３の表示装置に対して非拡大表示を設定するものとする。拡大表示が設定された表示装置を拡大表示装置とも称する。
【００４４】
図１８は、実施の形態２におけるマイクロコントローラ４の動作を示すフローチャートである。図１８のフローは、図６のフローのステップＳ１３とステップＳ１４の間にステップＳ１３Ａを追加したものである。ステップＳ１３Ａにおいて、マイクロコントローラ４は拡大表示の有無を判定する。マイクロコントローラ４は、ステップＳ１３Ａで拡大表示を有りと判定すると、ステップＳ１４に移行し、マイクロコントローラ４が拡大表示を無しと判定すると、ステップＳ１４とステップＳ１５をスキップしてステップＳ１６に移行する。
【００４５】
図１９は、制御装置５０２の動作を示すフローチャートである。制御装置５０２は、各種の情報を記憶する記憶装置を備えている（図１６に図示せず）。映像表示システムが起動すると、制御装置５０２は、記憶装置に保存されている設定値を読み込む（ステップＳ２１）。そして、制御装置５０２は、ステップＳ２１で読み込んだ設定値を用いて、マトリクススイッチャ５０１および表示装置１００−１１５の初期設定を行う（ステップＳ２２）。
【００４６】
次に、制御装置５０２はユーザによる設定変更を受け付ける（ステップＳ２３）。次に、制御装置５０２はステップＳ２３における設定変更の有無を判定する（ステップＳ２４）。設定変更が有る場合、制御装置５０２はマトリクススイッチャ５０１の設定変更を行い（ステップＳ２５）、表示装置１００−１１５の設定変更を行う（ステップＳ２６）。
【００４７】
ステップＳ２６の後、またはステップＳ２４において設定変更が無い場合、制御装置５０２はユーザによる終了操作が行われたかを判断する（ステップＳ２７）。ステップＳ２７において終了操作が無い場合、制御装置５０２の動作はステップＳ２３に戻る。ステップＳ２７において終了操作が有る場合、制御装置５０２はマトリクススイッチャ５０１および表示装置１００−１１５の設定値を記憶装置へ保存し（ステップＳ２８）、処理を終了する。
【００４８】
図２０は、図１９のステップＳ２３におけるユーザの設定変更に用いられるユーザインタフェースのメニュー画面６００を示している。メニュー画面６００には、チャート６０１、主画面エリアの指定メニュー６０２，６０３、ＩＤリスト６０４、決定ボタン６０５、リセットボタン６０６、キャンセルボタン６０７および終了ボタン６０８が表示される。
【００４９】
チャート６０１は、マルチ画面を構成するＬＣＤパネル５の配置に沿って、矩形枠内に各表示装置１００−１１５のＩＤを表示している。これにより、マルチ画面における各表示装置１００−１１５の配置が示されている。チャート６０１上の色の差異は、各表示装置１００−１１５の表示出力が選択済みか否かを表している。
【００５０】
指定メニュー６０２は、主画面エリアの指定メニューである。指定メニュー６０２における指定項目は、ＴＯＰ  ＬＥＦＴ  ＩＤ、ＨＯＲＩＺＯＮＴＡＬ  ＣＯＵＮＴ、ＶＥＲＴＩＣＡＬ  ＣＯＵＮＴ、ＳＯＵＲＣＥである。ＴＯＰ  ＬＥＦＴ  ＩＤは、主画面エリアの左上角を構成する表示装置のＩＤを表している。ＨＯＲＩＺＯＮＴＡＬ  ＣＯＵＮＴおよびＶＥＲＴＩＣＡＬ  ＣＯＵＮＴは、主画面エリアを構成する表示装置の、水平方向および垂直方向の配列数をそれぞれ表している。ＳＯＵＲＣＥは、主画面エリアに表示される映像の信号源を表している。
【００５１】
指定メニュー６０３は、副画面エリアを構成する表示装置を、副画面エリアに表示される映像の信号源との組み合わせで指定するためのメニューである。ユーザは、指定メニュー６０３に表示された各信号源に対して、表示装置のＩＤを指定する。
【００５２】
ＩＤリスト６０４は、表示装置のＩＤのリストである。指定メニュー６０２，６０３で指定済みの表示装置のＩＤは、ＩＤリスト６０４でグレイアウト表示されるか、網掛け表示されるなどの方法で、他と区別される。
【００５３】
決定ボタン６０５は、設定変更内容の決定ボタンである。決定ボタン６０５が操作されると、設定内容が確定される。リセットボタン６０６は、設定変更内容のリセットボタンである。リセットボタン６０６が操作されると、設定内容が所定の値にリセットされる。キャンセルボタン６０７が操作されると、設定内容が前回の保存値へ戻る。終了ボタン６０８が操作されると、現在の設定値が保存され（図１９のステップＳ２８）、処理が終了する。
【００５４】
＜Ｂ−３．効果＞
実施の形態２の映像表示システムは、表示モジュールを有する複数の表示装置１００−１１５と、複数の信号源３０１−３０８の映像信号から選択した映像信号を各複数の表示装置１００−１１５に出力する映像信号選択装置であるマトリクススイッチャ５０１と、複数の表示装置を映像の拡大表示を行う拡大表示装置に指定する制御装置５０２と、を備える。表示モジュールは、配列して単一の表示面を構成する。各表示モジュールは、複数の画素２０１が配列される画素領域５Ａと、画素領域５Ａを囲み画素２０１が配列されない非画素領域５Ｂとを有する。各表示装置１００−１１５は、仮想画素設定部と、表示制御部として機能するマイクロコントローラ４を備える。仮想画素設定部は、拡大表示装置に指定された場合に、隣り合う複数の画素２０１からなり画素領域５Ａに配列された仮想画素７０１を設定する。表示制御部は、画素領域５Ａにおける映像の表示を制御する。仮想画素７０１は、映像の表示に寄与する画素である少なくとも１つの表示画素と、映像の表示に寄与しない画素２０１であり水平方向および垂直方向の少なくともいずれかの方向に延在する複数の非表示画素とを含む。隣り合う表示モジュールの画素領域５Ａ間に形成される、隣り合う表示モジュールの設置ギャップと非画素領域５Ｂからなる非表示領域の幅Ｇｘ，Ｇｙは、画素２０１のピッチｐｘ、ｐｙの整数倍である。表示制御部は、拡大表示装置においては、１つの仮想画素７０１に、映像の、表示面における表示モジュールの位置に応じた領域の１画素分を表示し、それ以外の表示装置においては、１つの画素２０１に、映像の１画素分を表示する。従って、実施の形態２の映像表示システムによれば、マルチ画面上に複数の信号源の映像を表示すると共に、一部の表示装置においては映像を拡大表示することが可能である。そして、拡大表示される映像においては、実施の形態１と同様、映像の解像度を落とすことなく非表示領域を目立たなくすることができる。
【００５５】
なお、本発明は、その発明の範囲内において、各実施の形態を自由に組み合わせたり、各実施の形態を適宜、変形、省略したりすることが可能である。
【符号の説明】
【００５６】
１  入力端子、２  出力端子、３  スケーラＩＣ、４  マイクロコントローラ、５  ＬＣＤパネル、５Ａ  画素領域、５Ｂ  非画素領域、６  不揮発性メモリ、７  赤外線リモコン受光部、１０  信号ケーブル、１００−１１５  表示装置、２０１  画素、２０１ｂ，２０１ｇ，２０１ｒ  サブピクセル、３０１  信号源、３１１  映像信号ケーブル、３２１  映像信号ケーブル群、３３１，３３２  ケーブル、４０１  信号分配器、５０１  マトリクススイッチャ、５０２  制御装置、６００  メニュー画面、６０１  チャート、６０２，６０３  指定メニュー、６０４  ＩＤリスト、６０５  決定ボタン、６０６  リセットボタン、６０７  キャンセルボタン、６０８  終了ボタン、７０１  仮想画素、７０２  映像領域、７０３  格子パターン。
【図１】
2020030318.tif 000006
【図２】
2020030318.tif 000007
【図３】
2020030318.tif 000008
【図４】
2020030318.tif 000009
【図５】
2020030318.tif 000010
【図６】
2020030318.tif 000011
【図７】
2020030318.tif 000012
【図８】
2020030318.tif 000013
【図９】
2020030318.tif 000014
【図１０】
2020030318.tif 000015
【図１１】
2020030318.tif 000016
【図１２】
2020030318.tif 000017
【図１３】
2020030318.tif 000018
【図１４】
2020030318.tif 000019
【図１５】
2020030318.tif 000020
【図１６】
2020030318.tif 000021
【図１７】
2020030318.tif 000022
【図１８】
2020030318.tif 000023
【図１９】
2020030318.tif 000024
【図２０】
2020030318.tif 000025